(57)【要約】      （修正有）【課題】少ない作業工程で重心距離、重心高、重心深度、重心角を簡易に調節することを可能としたウッド形態のゴルフクラブヘッドを提供する。【解決手段】ウッド形態のゴルフクラブのヘッドにおいて、ソール部４のバックフェース側に形成した一対の開口部からフェース側に向けて、内周面に二段階となる雌ネジをそれぞれ形成した一対の円筒部９を突成してなり、二段階となる雌ネジは先端側を小径、後端側を大径としてあって、小径円筒部１０内に小径の錘ネジ１１を螺着した後、大径円筒部１２内に大径の錘ネジを螺着し、ヘッド１の重心位置を自在に調整できるように構成した。【選択図】図３
0003205476.tif 000002
【実用新案登録請求の範囲】
【請求項１】
ウッド形態のゴルフクラブのヘッドにおいて、ソール部のバックフェース側に形成した一対の開口部からフェース側に向けて、内周面に二段階となる雌ネジをそれぞれ形成した一対の円筒部を突成してなり、前記二段階となる雌ネジは先端側を小径、後端側を大径としてあって、小径円筒部内に小径の錘ネジを螺着した後、大径円筒部内に大径の錘ネジを螺着し、ヘッドの重心位置を自在に調整できるように構成したことを特徴とするゴルフクラブヘッド。
【請求項２】
前記ソール部のバックフェース側からフェース側に向けて突成した一対の円筒部は、開口部からフェース側に向けて高さ方向に上昇勾配且つ一対の円筒部の先端が互いに狭小角度を形成するように構成したことを特徴とする請求項１に記載のゴルフクラブヘッド。
【請求項３】
前記一対の円筒部における先端側の小径円筒部内に螺着したフェース側となる錘ネジが、シャフトの軸線の延長線上に位置できるように構成したことを特徴とする請求項１または請求項２に記載のゴルフクラブヘッド。
【請求項４】
前記錘ネジは、重力質量を異にする材料を用いて二種類以上用意し、適宜選択使用を可能とした請求項１または請求項３に記載のゴルフクラブヘッド。
【考案の詳細な説明】
【技術分野】
【０００１】
本考案はウッド形態のゴルフクラブヘッドに係り、特にヘッド内部において重心位置を容易且つ３次元的に調節ができるようにしたウッド型ゴルフクラブヘッドに関する。
【背景技術】
【０００２】
従来のウッド形態のゴルフクラブヘッドは、メーカーや仕様によって重心位置がそれぞれ異なり、プレイヤーにとって最適な重心位置を有するウッド形態のゴルフクラブヘッドを見つけることは至難であった。
このような問題点を解消するために改良されたゴルフクラブヘッドが次に示す特許文献１に開示されている。
【０００３】
特許文献１に開示されたゴルフクラブヘッドは、いわゆるウッド形態のものを対象とし、少なくとも打撃フェース及びソール、クラウンを含んで構成され、当該ソールのトゥ側部、ヒール側部及びバック側部に数種の異重量の重心位置調整用錘ネジを水密的に交換可能に装着できるようにし、ヘッド本体の重心位置、重量、バランス、打撃加重、ヘッドスピードが調整可能であるとされている。
【先行技術文献】
【特許文献】
【０００４】
【特許文献１】実用新案登録第３１５８６６２号公報
【考案の概要】
【考案が解決しようとする課題】
【０００５】
前記特許文献１に開示されたゴルフクラブヘッドは、ヘッド部の３箇所の部位、すなわちソールのトゥ側部、ヒール側部及びバック側部にソール部材と一体に凹成した雌ネジ部を刻設し、この雌ネジ部にＯリングを介して異なる重量の錘ネジを交換可能に装着してヘッド本体の重心位置を調整できるようにしたものであるが、錘ネジの螺着挿入孔はいずれもゴルフクラブヘッドにおけるソール部に設けられており、しかも螺着挿入孔の形成高さが低いため重心位置がソール寄りになり易いという問題点がある。また、重心位置を３次元的に調整することは不可能であった。さらに、ソール部に３箇所の錘ネジの挿入孔を設けることで外観形態を損ねるという問題点がある。
【課題を解決するための手段】
【０００６】
上記課題を解決するための本考案に係るウッド型ゴルフクラブヘッドは下記の構成を採用する。
【０００７】
すなわち、請求項１に係る考案は、ウッド形態のゴルフクラブのヘッドにおいて、ソール部のバックフェース側に形成した一対の開口部からフェース側に向けて、内周面に二段階となる雌ネジをそれぞれ形成した一対の円筒部を突成してなり、前記二段階となる雌ネジは先端側を小径、後端側を大径としてあって、小径円筒部内に小径の錘ネジを螺着した後、大径円筒部内に大径の錘ネジを螺着し、ヘッドの重心位置を自在に調整できるように構成したことを特徴とするゴルフクラブヘッドである。
【０００８】
請求項２に係る考案は、前記ソール部のバックフェース側からフェース側に向けて突成した一対の円筒部は、開口部からフェース側に向けて高さ方向に上昇勾配且つ一対の円筒部の先端が互いに狭小角度を形成するように構成したことを特徴とする請求項１に記載のゴルフクラブヘッドである。
【０００９】
また、請求項３に係る考案は、前記一対の円筒部における先端側の小径円筒部内に螺着したフェース側となる錘ネジが、シャフトの軸線の延長線上に位置できるように構成したことを特徴とする請求項１または請求項２に記載のゴルフクラブヘッドである。
【００１０】
さらに、請求項４に係る考案は、前記錘ネジは、重力質量を異にする材料を用いて二種類以上用意し、適宜選択使用を可能とした請求項１または請求項３に記載のゴルフクラブヘッドである。
【考案の効果】
【００１１】
上述のように、本考案に係るゴルフクラブヘッドによれば、ソール部のバックフェース側に形成した一対の開口部からフェース側に向けて、ヘッド内部に、内周面に二段階となる雌ネジをそれぞれ形成した一対の円筒部を配設してあり、二段階となる雌ネジは先端側を小径、後端側を大径としてあって、小径円筒部内に小径の錘ネジを螺着した後、大径円筒部内に大径の錘ネジを螺着し、２個の開口部にもかかわらず合計４個の錘ネジをヘッド内部に配設することができ、ヘッドの重心位置をプレーヤーの好みに応じて自在に調節することが可能となる。
【００１２】
請求項２のように、ソール部のバックフェース側からフェース側に向けて配設した一対の円筒部を、開口部からフェース側に向けて高さ方向に上昇勾配且つ一対の円筒部の先端が狭小角度を形成するように構成した場合には、Ｘ、Ｙ、Ｚの３次元的にヘッド本体の重心位置を調整することが可能となる。
従って、ヘッド本体の重心距離、重心高、重心深度、重心角をプレーヤーにとって最適な位置に設定することが可能となる。
【００１３】
また、通常のウッド形態のゴルフクラブヘッドの場合は、フェース打撃面はシャフトの軸線の延長線より１５ｍｍ程度前方に位置しているため、重心位置を前におくことができなかったが、請求項３のように、ヘッド内部のフェース側となるシャフトの軸線の延長線上のトゥ部およびヒール部に錘ネジが位置できるように構成した場合には重心位置を前方におくことが可能となる。
【００１４】
なお、錘ネジは、重力質量を異にする材料、例えばチタンにアルミニウムおよびバナジウムを加えたチタン合金や、タングステン合金、ステンレス鋼、銅合金などが好適に用いられ、これら異なった材質によって作製された二種類以上の錘ネジを用意して、適宜選択して用いることによりヘッドの重心位置を調節することが可能となる。
【図面の簡単な説明】
【００１５】
【図１】本考案に係るゴルフクラブヘッドをシャフト側から見た内部構造を示す説明図である。
【図２】本考案に係るゴルフクラブヘッドをソール部のトゥ側から見た内部構造を示す説明図である。
【図３】本考案に係るゴルフクラブヘッドのフェースプレートを取り除いたヘッド本体の内部構造の一例を示す説明図である。
【考案を実施するための形態】
【００１６】
以下、本考案に係るウッド形態のゴルフクラブヘッドの具体的構成を図示の実施形態に基づいて詳細に説明する。
【００１７】
なお、以下に示す実施形態は、本考案の技術思想を具体化するための一例を示すものであって、本考案は以下の説明及び図示したものに限定されないのは言うまでもない。また、内周面に二段階となる雌ネジを形成した一対の円筒部の配置位置・角度・長さ・径など、錘ネジの長さ・径・材質など、ヘッドの材質・大きさ・外観形態などは、特定的な記載がない限り、本考案の範囲をそれのみに限定する趣旨ではなく、単なる例示に過ぎないものである。
【００１８】
図中１は本考案に係るウッド形態のゴルフクラブのヘッド全体を示すもので、当該ヘッド１は打撃面となるフェース２、クラウン３、ソール部４を含んでおり、フェース２を除きチタン合金などの金属を用いた内部中空の鋳造製品となっている。なお、図中の５はソール部４のヒール部、６はソール部４のトゥ部、７はバックフェースをそれぞれ示す。
【００１９】
本考案はこのようなウッド形態のゴルフクラブのヘッド１において、ソール部４のバックフェース７側に斜め方向に向けて形成した一対の開口部８，８からフェース２側に向けて、内周面に二段階となる雌ネジをそれぞれ形成した一対の円筒部９，９を突成してなるもので、前記二段階となる雌ネジは先端側を小径、後端側を大径としてあって、小径円筒部１０，１０内に小径の錘ネジ１１，１１を螺着した後、大径円筒部１２，１２内に大径の錘ネジ１３，１３を螺着し、ヘッド１の重心位置を自在に調整できるように構成したものである。
なお、前記一対の円筒部９，９の下面と、ソール部４の内周面の間は、図３に示すように、補強のためリブ１４，１４で繋がっている。
【００２０】
図１は本考案ゴルフクラブヘッドをシャフト側から見た内部構造を示す説明図であり、前記二段階となる雌ネジは先端側を小径、後端側を大径としてあって、小径円筒部１０，１０の内周面に形成した小径雌ネジ１０１，１０１に小径の錘ネジ１１、１１を螺着した後、大径円筒部１２，１２の内周面に形成した大径雌ネジ１０２，１０２に大径の錘ネジ１３，１３を螺着固定する。
【００２１】
なお、小径の錘ネジ１１、１１および大径の錘ネジ１３，１３のネジ頭には治具の先端部を挿着するための溝を形成してある。また、大径の錘ネジ１３，１３のネジ頭にあるフランジ内側には、特に図示しないがＯリングを付設して円筒部９，９内に水が入り込むのを防ぐようにしてある。前記大径の錘ネジ１３，１３のネジ頭はソール部４の表面に表われてくるものであるから、見栄えを良くするため意匠に工夫を凝らすようにするとよい。
【００２２】
図１に示すように、ソール部４のバックフェース７側からフェース２側に向けて突成した一対の円筒部９，９は互いに平行状態を維持することなく、先端に向けて互いに狭小角度をなすように設定されている。これにより、小径円筒部１０，１０内の小径雌ネジ１０１，１０１に螺着する小径の錘ネジ１１，１１の螺入深度を調節して重心距離を任意に変えることができる。なお、図示の実施形態では小径円筒部１０，１０の先端面は解放状態となっていて、小径雌ネジ１０１，１０１の先端部が小径円筒部１０，１０の先端面から突出できるようになっているが、小径円筒部１０，１０の先端面を閉塞したものとしてもよいのは勿論である。
【００２３】
また、図２に示すように、ソール部４のバックフェース７側からフェース２側に向けて突成した一対の円筒部９，９は、開口部８，８からフェース２側に向けて高さ方向に上昇勾配が付与されている。当該上昇勾配と前記した狭小角度を同時に設定することにより、一対の円筒部９，９間に３次元空間が生じるため、小径の錘ネジ１１，１１を小径円筒部１０，１０内の小径雌ネジ１０１，１０１に螺着すると共に、大径の錘ネジ１３、１３を大径円筒部１２，１２内の大径雌ネジ１０２，１０２に螺着し、前記小径雌ネジ１０１，１０１の螺入深度を調節することによってヘッド本体の重心深度や重心高、重心距離、重心角の調節が可能となる。
【００２４】
さらに、前記した一対の円筒部９，９における先端側の小径円筒部１０，１０内に螺着したフェース２側となる錘ネジ１１，１１が、シャフトの軸線の延長線Ｓ上に位置できるように構成した場合にはヘッド本体の重心位置をこれまでより前方におくことが可能となる。
【００２５】
以上のように、本考案に係るゴルフクラブヘッドによれば、ヘッド内部に配設した一対の円筒部内の径を異にした二段階の雌ネジ部内に径を異にした錘ネジを螺着することによって合計４個の錘ネジをヘッド内部に付設することができ、ヘッドの重心位置をプレーヤーの好みに応じて自在に調節することが可能となるものである。
【符号の説明】
【００２６】
１：ヘッド
２：フェース
３：クラウン
４：ソール部
５：ヒール部
６：トゥ部
７：バックフェース
８：開口部
９：円筒部
１０：小径円筒部
１１：小径の錘ネジ
１２：大径円筒部
１３：大径の錘ネジ
１４：リブ
１０１：小径雌ネジ
１０２：大径雌ネジ
Ｓ：シャフトの軸線の延長線
【図１】
0003205476.tif 000003
【図２】
0003205476.tif 000004
【図３】
0003205476.tif 000005